(57)【要約】  本発明は端末能力の報告、取得方法及び装置を提供し、上記報告方法は、端末が、デュアルコネクティビティの能力をサポートすることを示すための指示情報を基地局に報告することを含む。本発明に提供される上記技術案によれば、端末がデュアルコネクティビティの能力をサポートすることを示すための指示情報を基地局に報告することにより、関連技術において、基地局が端末にサポートされるデュアルコネクティビティの能力を知ることができない等の問題を解決し、基地局が端末のデュアルコネクティビティ能力に応じて、端末に適するデュアルコネクティビティを設定できるようになり、ユーザ体験を向上させる。
2017532890.tif 000002
【特許請求の範囲】
【請求項１】
端末が、デュアルコネクティビティの能力をサポートすることを示すための指示情報を基地局に報告すること
を含む端末能力の報告方法。
【請求項２】
端末が、デュアルコネクティビティの能力をサポートすることを示すための指示情報を基地局に報告することは、
前記端末が同期デュアルコネクティビティをサポートする場合、前記端末が、同期デュアルコネクティビティの能力をサポートすることを示すための第１の指示情報を前記基地局に報告することと、
前記端末が非同期デュアルコネクティビティをサポートする場合、前記端末が、非同期デュアルコネクティビティの能力をサポートすることを示すための第２の指示情報を前記基地局に報告することと、のうち少なくとも一方を含む
請求項１に記載の方法。
【請求項３】
前記端末が同期デュアルコネクティビティをサポートする場合、前記第１の指示情報は、前記端末にサポートされる全キャリアアグリゲーションに対応するバンド組み合わせによる同期デュアルコネクティビティを示す、或いは、前記第１の指示情報は、前記端末にサポートされる一部のキャリアアグリゲーションに対応するバンド組み合わせによる同期デュアルコネクティビティ及び／又は前記全キャリアアグリゲーションに対応するバンド組み合わせ以外のバンド組み合わせを示すことと、
前記端末が非同期デュアルコネクティビティをサポートする場合、前記第２の指示情報は、非同期デュアルコネクティビティをサポートするバンド組み合わせを単独で示す、或いは、非同期デュアルコネクティビティをサポートするバンド組み合わせ番号の組み合わせ又はバンド組み合わせインデックスの組み合わせを示すことと、のうち少なくとも一方をさらに含む
請求項２に記載の方法。
【請求項４】
前記第１の指示情報は、ビットの取りうる値によって、前記一部のキャリアアグリゲーションに対応するバンド組み合わせを示す
請求項３に記載の方法。
【請求項５】
前記指示情報は、
前記指示情報において、前記端末にサポートされる各バンド組み合わせ、或いは、前記端末にサポートされるキャリアアグリゲーションにおけるバンド組み合わせ番号又はバンド組み合わせインデックスの組み合わせをそれぞれ単独で示し、そして、前記指示情報において、各前記バンド組み合わせ、バンド組み合わせ番号の組み合わせ、バンド組み合わせインデックスの組み合わせの何れか一つのデュアルコネクティビティのタイプをさらに示し、前記デュアルコネクティビティのタイプが同期デュアルコネクティビティ及び非同期デュアルコネクティビティを含むことにより、前記端末がデュアルコネクティビティの能力をサポートすることを示す
請求項１に記載の方法。
【請求項６】
基地局が、端末から報告された、デュアルコネクティビティの能力をサポートすることを示すための指示情報を受信すること
を含む端末能力の取得方法。
【請求項７】
基地局が、端末から報告された、デュアルコネクティビティの能力をサポートすることを示すための指示情報を受信することは、
前記端末が同期デュアルコネクティビティをサポートする場合、前記基地局は、端末から報告された、前記端末が同期デュアルコネクティビティの能力をサポートすることを示すための第１の指示情報を受信することと、
前記端末が非同期デュアルコネクティビティをサポートする場合、前記基地局は、端末から報告された、前記端末が非同期デュアルコネクティビティの能力をサポートすることを示すための第２の指示情報を受信することと、のうち何れか一方を含む
請求項６に記載の方法。
【請求項８】
前記端末が同期デュアルコネクティビティをサポートする場合、前記第１の指示情報は、前記端末にサポートされる全キャリアアグリゲーションに対応するバンド組み合わせによる同期デュアルコネクティビティを示す、或いは、前記第１の指示情報は、前記端末にサポートされる一部のキャリアアグリゲーションに対応するバンド組み合わせによる同期デュアルコネクティビティ及び／又は前記全キャリアアグリゲーションに対応するバンド組み合わせ以外のバンド組み合わせを示すことと、
前記端末が非同期デュアルコネクティビティをサポートする場合、前記第２の指示情報は、非同期デュアルコネクティビティをサポートするバンド組み合わせをそれぞれ単独で示す、或いは、非同期デュアルコネクティビティをサポートするバンド組み合わせ番号の組み合わせ又はバンド組み合わせインデックスの組み合わせを示すことと、のうち少なくとも一方をさらに含む
請求項７に記載の方法。
【請求項９】
前記指示情報は、
前記指示情報において、前記端末にサポートされる各バンド組み合わせ、或いは、前記端末にサポートされるキャリアアグリゲーションにおけるバンド組み合わせ番号又はバンド組み合わせインデックスの組み合わせをそれぞれ単独で示し、そして、前記指示情報において、各前記バンド組み合わせ、バンド組み合わせ番号の組み合わせ、バンド組み合わせインデックスの組み合わせの何れか一つのデュアルコネクティビティのタイプをさらに示し、前記デュアルコネクティビティのタイプが同期デュアルコネクティビティ及び非同期デュアルコネクティビティを含むことにより、前記端末がデュアルコネクティビティの能力をサポートすることを示す
請求項６に記載の方法。
【請求項１０】
端末に適用する端末能力の報告装置であって、
デュアルコネクティビティの能力をサポートすることを示すための指示情報を基地局に報告するように構成される報告モジュール、を備える端末能力の報告装置。
【請求項１１】
基地局に適用する端末能力の取得装置であって、
端末から報告された、デュアルコネクティビティの能力をサポートすることを示すための指示情報を受信するように構成される受信モジュール、を備える端末能力の取得装置。
【発明の詳細な説明】
【技術分野】
【０００１】
本発明は通信分野に関し、具体的には、端末能力の報告、取得方法及び装置に関する。
【背景技術】
【０００２】
スペクトル資源の不足及びモバイルユーザによる多大なトラフィックサービスの急増によって、高周波ポイント、例えば３．５ＧＨｚを用いてホットスポットをカバーするニーズがますます顕著となり、低電力のノードを用いることが新しい応用場面となり、ユーザのスループットを増大し、モバイル性能を強化することがその目的である。しかし、高周波ポイントの信号減衰がひどいため、セルのカバレッジが小さいとともに、従来のセルとはサイトを共有しない。現在、多くの会社や事業者は新しい強化ソリューションを求めようとし、デュアルコネクティビティ（Dual Connectivity）がその１つである。デュアルコネクティビティにおいて、端末は２つ以上のネットワークノードとの接続を同時に保持することができるが、コントロールプレーンが１つのセルのみ、例えばマクロセルに接続されているので、異なるネットワークノード間の遅延を無視してはいけない。例えば、１つのネットワークノードがマクロ基地局であり、マスタｅＮＢ（Master eNB、ＭｅＮＢ）と呼ばれ、もう一つのネットワークノードがスモールセル基地局であり、セカンダリｅＮＢ（Secondary eNB、ＳｅＮＢ）と呼ばれる。ＭｅＮＢ又はＳｅＮＢの内部において、キャリアアグリゲーションがサポートされる。また、ＭｅＮＢ及びＳｅＮＢにおけるサービスセルは、下りの時間差が３３マイクロ秒よりも小さくされることができ、同期デュアルコネクティビティと呼ばれ、また、下りの時間差が３３マイクロ秒よりも大きい場合、非同期デュアルコネクティビティと呼ばれる。端末の能力は、デュアルコネクティビティをサポートするか否か、どの程度までサポートできるかのように、ずいぶん異なっているが、関連技術はこれについて開示がされていない。基地局は端末にサポートされるデュアルコネクティビティの能力を正確に知ることができないことによって、端末にサポートされていないデュアルコネクティビティを設定していれば、シグナリングの交換を増加させるばかりでなく、端末の体験も悪化する。
【０００３】
関連技術における上記問題に対して、未だに有効な対策が提案されていない。
【発明の概要】
【発明が解決しようとする課題】
【０００４】
本発明の実施例は、関連技術において、基地局が端末にサポートされるデュアルコネクティビティの能力を知ることができない等の問題を少なくとも解決する端末能力の報告、取得方法及び装置を提供する。
【課題を解決するための手段】
【０００５】
本発明の一実施例によると、端末が、デュアルコネクティビティの能力をサポートすることを示すための指示情報を基地局に報告することを含む端末能力の報告方法が提供される。
【０００６】
本実施例において、端末が、デュアルコネクティビティの能力をサポートすることを示すための指示情報を基地局に報告することは、前記端末が同期デュアルコネクティビティをサポートする場合、前記端末が、同期デュアルコネクティビティの能力をサポートすることを示すための第１の指示情報を前記基地局に報告することと、前記端末が非同期デュアルコネクティビティをサポートする場合、前記端末が、非同期デュアルコネクティビティの能力をサポートすることを示すための第２の指示情報を前記基地局に報告することと、のうち少なくとも一方を含む。
【０００７】
本実施例において、前記端末が同期デュアルコネクティビティをサポートする場合、前記第１の指示情報は、前記端末にサポートされる全キャリアアグリゲーションに対応するバンド組み合わせによる同期デュアルコネクティビティを示す、或いは、前記第１の指示情報は、前記端末にサポートされる一部のキャリアアグリゲーションに対応するバンド組み合わせによる同期デュアルコネクティビティ及び／又は前記全キャリアアグリゲーションに対応するバンド組み合わせ以外のバンド組み合わせを示すことと、前記端末が非同期デュアルコネクティビティをサポートする場合、前記第２の指示情報は、非同期デュアルコネクティビティをサポートするバンド組み合わせを単独で示す、或いは、非同期デュアルコネクティビティをサポートするバンド組み合わせ番号の組み合わせ又はバンド組み合わせインデックスの組み合わせを示すことと、のうち少なくとも一方をさらに含む。
【０００８】
本実施例において、前記第１の指示情報は、ビットの取りうる値によって、前記一部のキャリアアグリゲーションに対応するバンド組み合わせを示す。
【０００９】
本実施例において、前記指示情報は、前記指示情報において、前記端末にサポートされる各バンド組み合わせ、或いは、前記端末にサポートされるキャリアアグリゲーションにおけるバンド組み合わせ番号又はバンド組み合わせインデックスの組み合わせをそれぞれ単独で示し、そして、前記指示情報において、各前記バンド組み合わせ、バンド組み合わせ番号の組み合わせ、バンド組み合わせインデックスの組み合わせの何れか一つのデュアルコネクティビティのタイプをさらに示し、前記デュアルコネクティビティのタイプが同期デュアルコネクティビティ及び非同期デュアルコネクティビティを含むことにより、前記端末がデュアルコネクティビティの能力をサポートすることを示す。
【００１０】
本発明の他の一実施例によると、基地局が、端末から報告された、デュアルコネクティビティの能力をサポートすることを示すための指示情報を受信することを含む端末能力の取得方法が提供される。
【００１１】
本実施例において、基地局が、端末から報告された、デュアルコネクティビティの能力をサポートすることを示すための指示情報を受信することは、前記端末が同期デュアルコネクティビティをサポートする場合、前記基地局が、端末から報告された、同期デュアルコネクティビティの能力をサポートすることを示すための第１の指示情報を受信することと、前記端末が非同期デュアルコネクティビティをサポートする場合、前記基地局が、端末から報告された、前記端末が非同期デュアルコネクティビティの能力をサポートすることを示すための第２の指示情報を受信することと、のうち何れか一方を含む。
【００１２】
本実施例において、前記端末が同期デュアルコネクティビティをサポートする場合、前記第１の指示情報は、前記端末にサポートされる全キャリアアグリゲーションに対応するバンド組み合わせによる同期デュアルコネクティビティを示す、或いは、前記第１の指示情報は、前記端末にサポートされる一部のキャリアアグリゲーションに対応するバンド組み合わせによる同期デュアルコネクティビティ及び／又は前記全キャリアアグリゲーションに対応するバンド組み合わせ以外のバンド組み合わせを示すことと、前記端末が非同期デュアルコネクティビティをサポートする場合、前記第２の指示情報は、非同期デュアルコネクティビティをサポートするバンド組み合わせをそれぞれ単独で示す、或いは、非同期デュアルコネクティビティをサポートするバンド組み合わせ番号の組み合わせ又はバンド組み合わせインデックスの組み合わせを示すことと、のうち少なくとも一方をさらに含む。
【００１３】
本実施例において、前記指示情報は、前記指示情報において、前記端末にサポートされる各バンド組み合わせ、或いは、前記端末にサポートされるキャリアアグリゲーションにおけるバンド組み合わせ番号又はバンド組み合わせインデックスの組み合わせをそれぞれ単独で示し、そして、前記指示情報において、各前記バンド組み合わせ、バンド組み合わせ番号の組み合わせ、バンド組み合わせインデックスの組み合わせの何れか一つのデュアルコネクティビティのタイプをさらに示し、前記デュアルコネクティビティのタイプが同期デュアルコネクティビティ及び非同期デュアルコネクティビティを含むことにより、前記端末がデュアルコネクティビティの能力をサポートすることを示す。
【００１４】
本発明のもう一つの実施例によると、端末に適用する端末能力の報告装置であって、該端末がデュアルコネクティビティの能力をサポートすることを示すための指示情報を基地局に報告するように構成される報告モジュールを備える端末能力の報告装置が提供される。
【００１５】
本発明の更なる一実施例によると、基地局に適用する端末能力の取得装置であって、端末から報告された、デュアルコネクティビティの能力をサポートすることを示すための指示情報を受信するように構成される受信モジュールを備える端末能力の取得装置が提供される。
【発明の効果】
【００１６】
本発明の実施例によれば、端末は、デュアルコネクティビティの能力をサポートすることを示すための指示情報を基地局に報告することにより、関連技術において、基地局が端末にサポートされるデュアルコネクティビティの能力を知ることができない等の問題を解決し、基地局が端末のデュアルコネクティビティ能力に応じて、端末に適するデュアルコネクティビティを設定できるようになり、ユーザ体験を向上させる。
【図面の簡単な説明】
【００１７】
ここで説明する図面は、本発明をさらに理解させるためのものであり、本願の一部を構成し、また、本発明における模式的実施例及びその説明は本発明を説明するものであり、本発明を不当に限定するものではない。図面において、
【図１】本発明の実施例による端末能力の報告方法のフローチャートである。
【図２】本発明の実施例による端末能力の報告装置の構造ブロック図である。
【図３】本発明の実施例による端末能力の取得方法のフローチャートである。
【図４】本発明の実施例による端末能力の取得装置の構造ブロック図である。
【図５】本発明の好適な実施例による端末能力の取得方法のフローチャートである。
【発明を実施するための形態】
【００１８】
以下、図面を参照しつつ実施例を結合して本発明を詳しく説明する。なお、衝突しない限り、本願の実施例及び実施例中の構成要件を互いに組み合わせることができる。
【００１９】
図１は、本発明の実施例による端末能力の報告方法のフローチャートである。図１に示すように、該方法は、
端末は、基地局からの、端末が能力を報告するよう要求するための要求メッセージを受信するステップＳ１０２と、
端末は、該端末がデュアルコネクティビティの能力をサポートすることを示すための指示情報を基地局に報告するステップＳ１０４と、を含む。
【００２０】
上記各処理ステップを通じて、端末は、デュアルコネクティビティの能力をサポートすることを示すための指示情報を基地局に報告することができるため、基地局は、端末がデュアルコネクティビティの能力をサポートすることを知ることができ、これにより、基地局が端末にサポートされるデュアルコネクティビティの能力を知ることができないことによって、シグナリングの交換が増加してしまう問題を根本的に回避し、ユーザ体験を向上させる。
【００２１】
１つの好適な実施例において、ステップＳ１０２を省略してもよく、即ち、端末は基地局の要求により上記指示情報を報告するか、自ら上記指示情報を報告することができる。
【００２２】
ステップＳ１０４は、上記端末が同期デュアルコネクティビティをサポートする場合、上記端末は、上記端末が同期デュアルコネクティビティの能力をサポートすることを示すための第１の指示情報を上記基地局に報告することと、上記端末が非同期デュアルコネクティビティをサポートする場合、上記端末は、上記端末が非同期デュアルコネクティビティの能力をサポートすることを示すための第２の指示情報を上記基地局に報告することと、のうち少なくとも一つの実現形式として表すことができる。
【００２３】
上記端末が同期デュアルコネクティビティをサポートする場合、上記第１の指示情報は、上記端末にサポートされる全キャリアアグリゲーションに対応するバンド組み合わせによる同期デュアルコネクティビティを示す、或いは、上記第１の指示情報は、上記端末にサポートされる一部のキャリアアグリゲーションに対応するバンド組み合わせによる同期デュアルコネクティビティ及び／又は上記全キャリアアグリゲーションに対応するバンド組み合わせ以外のバンド組み合わせを示す。
【００２４】
上記端末が非同期デュアルコネクティビティをサポートする場合、上記第２の指示情報は、非同期デュアルコネクティビティをサポートするバンド組み合わせを単独で示す、或いは、非同期デュアルコネクティビティをサポートするバンド組み合わせ番号の組み合わせ又はバンド組み合わせインデックスの組み合わせを示す。
【００２５】
１つの好適な実施例において、端末が、一部のキャリアアグリゲーションに対応するバンド組み合わせによる同期デュアルコネクティビティをサポートする場合、上記第１の指示情報は、ビットの取りうる値によって、上記一部のキャリアアグリゲーションに対応するバンド組み合わせを示す。
【００２６】
１つの好適な実施過程において、ステップＳ１０４における上記指示情報は、以下の方式により上記端末がデュアルコネクティビティの能力をサポートすることを示してもよい。
【００２７】
上記指示情報において、上記端末にサポートされる各バンド組み合わせ、或いは、上記端末にサポートされるキャリアアグリゲーションにおけるバンド組み合わせ番号又はバンド組み合わせインデックスの組み合わせをそれぞれ単独で示す。そして、上記指示情報において、各上記バンド組み合わせ又はバンド組み合わせ番号の組み合わせ又はバンド組み合わせインデックスの組み合わせによるデュアルコネクティビティのタイプをさらに示し、上記デュアルコネクティビティのタイプは、同期デュアルコネクティビティ及び非同期デュアルコネクティビティを含む。
【００２８】
本発明の実施例にて端末能力の報告装置がさらに提供され、端末に適用するものであって、図２に示すように、該装置は、
基地局からの、端末が能力を報告するよう要求するための要求メッセージを受信する受信モジュール２０と、
受信モジュール２０に接続され、該端末がデュアルコネクティビティの能力をサポートすることを示すための指示情報を基地局に報告する報告モジュール２２と、を備える。
【００２９】
なお、上記各モジュールは、ソフトウェア又はハードウェアにより実現することができ、後者の場合、受信モジュール２０及び報告モジュール２２が同一のプロセッサに位置するか、受信モジュール２０及び報告モジュール２２がそれぞれ第１のプロセッサ及び第２のプロセッサに位置する形式として表すことができるが、これには限定されない。
【００３０】
本発明の実施例にて端末能力の取得方法がさらに提供され、図３に示すように、該方法は、
基地局は、端末に対して、前記端末にサポートされるデュアルコネクティビティの能力を要求するための指示情報を送信するステップＳ３０２と、
基地局は、端末から報告された、該端末がデュアルコネクティビティの能力をサポートすることを示すための指示情報を受信するステップＳ３０４と、を含む。
【００３１】
なお、ステップＳ３０２を省略してもよい。
【００３２】
ステップＳ３０２の実現方式は、上記端末が同期デュアルコネクティビティをサポートする場合、上記基地局は、端末から報告された、上記端末が同期デュアルコネクティビティの能力をサポートすることを示すための第１の指示情報を受信することと、上記端末が非同期デュアルコネクティビティをサポートする場合、上記基地局は、端末から報告された、上記端末が非同期デュアルコネクティビティの能力をサポートすることを示すための第２の指示情報を受信することと、のうち少なくとも一つの形式として表すことができるが、これには限定されない。
【００３３】
上記端末が同期デュアルコネクティビティをサポートする場合、上記第１の指示情報は、上記端末にサポートされる全キャリアアグリゲーションに対応するバンド組み合わせによる同期デュアルコネクティビティを示す、或いは、上記第１の指示情報は、上記端末にサポートされる一部のキャリアアグリゲーションに対応するバンド組み合わせによる同期デュアルコネクティビティ及び／又は上記全キャリアアグリゲーションに対応するバンド組み合わせ以外のバンド組み合わせを示す。
【００３４】
上記端末が非同期デュアルコネクティビティをサポートする場合、上記第２の指示情報は、非同期デュアルコネクティビティをサポートするバンド組み合わせをそれぞれ単独で示す、或いは、非同期デュアルコネクティビティをサポートするバンド組み合わせ番号の組み合わせ又はバンド組み合わせインデックスの組み合わせを示す。
【００３５】
オプションとして、上記指示情報は、以下の方式により上記端末がデュアルコネクティビティの能力をサポートすることを示してもよい。上記指示情報において、上記端末にサポートされる各バンド組み合わせ、或いは、上記端末にサポートされるキャリアアグリゲーションにおけるバンド組み合わせ番号又はバンド組み合わせインデックスの組み合わせをそれぞれ単独で示し、そして、上記指示情報において、各上記バンド組み合わせ、バンド組み合わせ番号の組み合わせ、バンド組み合わせインデックスの組み合わせの何れか一つのデュアルコネクティビティのタイプをさらに示し、上記デュアルコネクティビティのタイプは、同期デュアルコネクティビティ及び非同期デュアルコネクティビティを含む。
【００３６】
本発明の実施例にて端末能力の取得装置がさらに提供され、基地局に適用するものであって、図３に示す方法を実現し、図４に示すように、該装置は、
端末に対して、前記端末にサポートされるデュアルコネクティビティの能力を要求するための指示情報を送信する送信モジュール４０と、
送信モジュール４０に接続され、端末から報告された、該端末がデュアルコネクティビティの能力をサポートすることを示すための指示情報を受信する受信モジュール４２と、を備える。
【００３７】
なお、上記各モジュールは、ソフトウェア又はハードウェアにより実現することができ、後者の場合、送信モジュール４０及び受信モジュール４２が同一のプロセッサに位置するか、送信モジュール４０及び受信モジュール４２がそれぞれ第３のプロセッサ及び第４のプロセッサに位置する形式として表すことができるが、これには限定されない。
【００３８】
上記実施例をよりよく理解するために、以下、好適な実施例を結合して詳しく説明する。以下の好適な実施例の設計精神は以下のようである。１）同期デュアルコネクティビティをサポートする端末は、同期デュアルコネクティビティをサポートするか否かを報告し、サポートすると報告していれば、全キャリアアグリゲーションのバンド組み合わせによる同期デュアルコネクティビティをサポートする、或いは、各バンド組み合わせのビット指示であり、即ち、一部のバンド組み合わせのみをサポートし、これに加え、キャリアアグリゲーションに対応するバンド組み合わせ以外のバンド組み合わせをさらに含んでもよい。２）非同期デュアルコネクティビティをサポートする端末は、非同期デュアルコネクティビティをサポートするか否かを報告し、サポートすると報告していれば、サポートされるバンド組み合わせを単独で示し、ＭｅＮＢ及びＳｅＮＢにおけるバンド組み合わせの組み合わせであるか、キャリアアグリゲーションにおけるバンド組み合わせ番号又はインデックスの組み合わせであることができる。また、同期デュアルコネクティビティをサポートするバンド組み合わせの設定について、上記２）で言及した方法を用いてもよく、即ち、端末がデュアルコネクティビティの能力を持つ場合、同期デュアルコネクティビティも非同期デュアルコネクティビティも２）の方法を使用し、さらに、どのバンド組み合わせが同期又は非同期デュアルコネクティビティをサポートするか見分けるようにする。
【００３９】
以下の実施例は図５に示すフローに基づいて実施することができる。
【００４０】
以下の実施例において、基地局１がマクロ基地局であり、バンド１に属するセル１と、バンド２に属するセル２と、バンド３に属するセル３との３つのセルを有し、基地局２がスモールセル基地局であり、バンド２に属するセル４と、バンド５に属するセル５と、バンド６に属するセル６との３つのセルを有する。以下の実施例にて、最大で２つ及び３つのバンドをサポートする場面を説明するが、最大で他の数のバンドをサポートする場面はこれに類似しているため、ここではその説明を省略する。
（実施例１）
本発明の実施例１におけるＵＥが測定能力を報告するフロー及び基地局がデュアルコネクティビティを設定（構成）するフローを示す図は、図５のようである。
【００４１】
ステップ１：本実施例において、ＵＥは進化型ユニバーサル移動体通信システム無線アクセス網（Evolved Universal Mobile Telecommunication System Radio Access Network、単にＥ−ＵＴＲＡＮという）システムにおいて、セル１がＲＲＣ確立過程を完成した後に、接続状態にある。
【００４２】
ステップ２：基地局はＵＥに対して能力情報を報告するよう要求し、ＵＥは自分の能力に基づいて、端末がバンド１，２，５をサポートし、最大で２つのキャリアのアグリゲーションをサポートするようなキャリアアグリゲーション能力情報を報告し、ここで、１番目のバンドと２番目のバンドは順位を付けられておらず、それらにおける周波数のキャリアアグリゲーションをサポートすることを記述するものに過ぎない。実施例１において、ＵＥから報告されたキャリアアグリゲーションをサポートする能力は、表１．１に示すようなものであることができ、例えば、キャリアアグリゲーションバンド組み合わせ番号５の場合、端末は、バンド１とバンド２によるキャリアアグリゲーションをサポートする。
【００４３】
【表１．１】
2017532890.tif 000003
【００４４】
ステップ３：同時に、端末は、同期デュアルコネクティビティをサポートするため、同期デュアルコネクティビティをサポートする能力、即ち、端末が表１．１におけるバンド組み合わせによる同期デュアルコネクティビティをサポートすることを報告する。
【００４５】
ステップ４：端末は、非同期デュアルコネクティビティをサポートしないため、非同期デュアルコネクティビティをサポートする能力を報告していない。
【００４６】
ステップ５：基地局は、端末から報告された能力情報を取得し、端末がバンド１とバンド２によるキャリアアグリゲーション及び同期デュアルコネクティビティをサポートすることを知り、ここで、セル１がバンド１に属し、セル２及びセル４がバンド２に属する。
【００４７】
ステップ６：サービス量の増大、そして測定レポートによると、セル４の信号品質がセル２より優れているとともに、端末がバンド１とバンド２による同期デュアルコネクティビティをサポートすることから、基地局は端末のためにセル４を構成し、端末は、セル１とセル４によって同期デュアルコネクティビティによるデータの送受信を行う。
【００４８】
上記ステップ３において、端末が表１．１における一部のバンド組み合わせによる同期デュアルコネクティビティのみサポートしていれば、各バンド組み合わせに対して同期デュアルコネクティビティをサポートするか否かの指示を追加したり、別にビットマップにより表したりすることができ、例えば、端末がバンド組み合わせ１，２，３，５，６による同期デュアルコネクティビティしかサポートしない場合、１１１０１１０００を基地局に報告し、左から１番目のビットがバンド組み合わせ１を表し、右へと順次類推し、また、ビットが１に設定されることは、該バンド組み合わせによる同期デュアルコネクティビティをサポートすることを意味する。
【００４９】
ステップ３において、端末がバンド５とバンド５による同期デュアルコネクティビティをもサポートするものの、バンド５とバンド５によるキャリアアグリゲーションを端末がサポートしておらず、対応するキャリアアグリゲーションバンド組み合わせ番号がないとすれば、端末は以下の内容を追加して報告する必要があり、表１．２における同期デュアルコネクティビティバンド組み合わせ番号が表１．１におけるキャリアアグリゲーションバンド組み合わせ番号と同一となってはいけない。
【００５０】
【表１．２】
2017532890.tif 000004
【００５１】
（実施例２）
本発明の実施例２におけるＵＥが測定能力を報告するフロー及び基地局がデュアルコネクティビティを設定（構成）するフローを示す図は、図５のようである。
【００５２】
ステップ１：本実施例において、ＵＥはＥ−ＵＴＲＡＮシステムにおいて、セル１がＲＲＣ確立過程を完成した後に、接続状態にある。
【００５３】
ステップ２：基地局はＵＥに対して能力情報を報告するよう要求し、ＵＥは自分の能力に基づいて、端末がバンド１，２，５をサポートし、最大で２つのキャリアのアグリゲーションをサポートするようなキャリアアグリゲーション能力情報を報告し、ここで、１番目のバンドと２番目のバンドは順位を付けられておらず、それらにおける周波数のキャリアアグリゲーションをサポートすることを記述するものに過ぎない。実施例２において、ＵＥから報告されたキャリアアグリゲーションをサポートする能力は、表２．１に示すようなものであることができ、例えば、キャリアアグリゲーションバンド組み合わせ番号５の場合、端末は、バンド１とバンド５によるキャリアアグリゲーションをサポートする。
【００５４】
【表２．１】
2017532890.tif 000005
【００５５】
ステップ３：同時に、端末は、同期デュアルコネクティビティをサポートするため、同期デュアルコネクティビティをサポートする能力、即ち、端末が表２．１におけるバンド組み合わせによる同期デュアルコネクティビティをサポートすることを報告する。
【００５６】
ステップ４：同時に、端末は、非同期デュアルコネクティビティをサポートするため、非同期デュアルコネクティビティをサポートする能力を報告し、即ち、端末は、表２．２における非同期デュアルコネクティビティをサポートすることを直接報告し、非同期デュアルコネクティビティの能力をサポートすることを単独で示す必要がない。表における非同期デュアルコネクティビティバンド組み合わせ番号と表２．１におけるキャリアアグリゲーションバンド組み合わせ番号とが、例えば、いずれも１，２，３のように同一であってもよいし、また、例えば、１０１，１０２，１０３等のように異なってもよい。例えば、非同期デュアルコネクティビティバンド組み合わせ番号３の場合、端末は、ＭｅＮＢにおけるキャリアアグリゲーションバンド組み合わせ番号４（表２．１におけるバンド１とバンド２を参照）及びＳｅＮＢにおけるキャリアアグリゲーションバンド組み合わせ番号２（表２．１におけるバンド２を参照）による非同期デュアルコネクティビティをサポートする。
【００５７】
【表２．２】
2017532890.tif 000006
ステップ５：基地局は、端末から報告された能力情報を取得し、端末がバンド１とバンド２によるキャリアアグリゲーション及び同期デュアルコネクティビティをサポートするとともに、ＭｅＮＢにおけるバンド１とバンド２及びＳｅＮＢにおけるバンド２による非同期デュアルコネクティビティをサポートすることを知り、ここで、セル１がバンド１に属し、セル２及びセル４がバンド２に属する。
【００５８】
ステップ６：サービス量の増大、そして測定レポートによると、セル２及びセル４の信号品質がそれぞれ優れているとともに、端末がＭｅＮＢにおけるバンド１とバンド２及びＳｅＮＢにおけるバンド２による非同期デュアルコネクティビティをサポートすることから、基地局は端末のためにセル２及びセル４を構成し、端末は、セル１、セル２及びセル４によって非同期デュアルコネクティビティによるデータの送受信を行う。
【００５９】
上記ステップ４において、表２．３に記述するように、具体的なバンド組み合わせを直接記述してもよく、例えば、非同期デュアルコネクティビティバンド組み合わせ番号３の場合、端末は、ＭｅＮＢにおけるバンド１とバンド２及びＳｅＮＢにおけるバンド２による非同期デュアルコネクティビティをサポートする。
【００６０】
【表２．３】
2017532890.tif 000007
【００６１】
（実施例３）
本発明の実施例３におけるＵＥが測定能力を報告するフロー及び基地局がデュアルコネクティビティを設定（構成）するフローを示す図は、図５のようである。
【００６２】
ステップ１：本実施例において、ＵＥはＥ−ＵＴＲＡＮシステムにおいて、セル１がＲＲＣ確立過程を完成した後に、接続状態にある。
【００６３】
ステップ２：基地局はＵＥに対して能力情報を報告するよう要求し、ＵＥは自分の能力に基づいて、端末がバンド１，２，５をサポートし、最大で３つのキャリアのアグリゲーションをサポートするようなキャリアアグリゲーション能力情報を報告し、ここで、１番目のバンド、２番目のバンド及び３番目のバンドは順位を付けられておらず、それらにおける周波数のキャリアアグリゲーションをサポートすることを記述するものに過ぎない。実施例３において、ＵＥから報告されたキャリアアグリゲーションをサポートする能力は、表３．１に示すようなものであることができ、例えば、キャリアアグリゲーションバンド組み合わせ番号７の場合、端末は、バンド１、バンド２及びバンド５によるキャリアアグリゲーションをサポートする。
【００６４】
【表３．１】
2017532890.tif 000008
【００６５】
ステップ３：同時に、端末は、同期デュアルコネクティビティをサポートするため、同期デュアルコネクティビティをサポートする能力、即ち、端末が表３．１におけるバンド組み合わせによる同期デュアルコネクティビティをサポートすることを報告する。
【００６６】
端末がバンド５とバンド５による同期デュアルコネクティビティをもサポートするものの、バンド５とバンド５によるキャリアアグリゲーションを端末がサポートしておらず、対応するキャリアアグリゲーションバンド組み合わせ番号がないとすれば、端末は以下の内容を追加して報告する必要があり、同期デュアルコネクティビティバンド組み合わせ番号が表３．１におけるキャリアアグリゲーションバンド組み合わせ番号と同一となってはいけない。
【００６７】
【表３．２】
2017532890.tif 000009
【００６８】
ステップ４：同時に、端末は、非同期デュアルコネクティビティをサポートするため、非同期デュアルコネクティビティをサポートする能力、即ち、端末が表３．３における非同期デュアルコネクティビティをサポートすることを報告する。表における非同期デュアルコネクティビティバンド組み合わせ番号と表３．１及び３，２におけるキャリアアグリゲーションバンド組み合わせ番号及び同期デュアルコネクティビティバンド組み合わせ番号とが、例えば、いずれも１，２，３のように同一であってもよいし、また、例えば、１０１，１０２，１０３等のように異なってもよい。例えば、非同期デュアルコネクティビティバンド組み合わせ番号１０４の場合、端末は、ＭｅＮＢにおけるキャリアアグリゲーションバンド組み合わせ番号４（表２．１におけるバンド１とバンド２を参照）及びＳｅＮＢにおけるキャリアアグリゲーションバンド組み合わせ番号６（表２．１におけるバンド２とバンド５を参照）による非同期デュアルコネクティビティをサポートする。
【００６９】
【表３．３】
2017532890.tif 000010
【００７０】
ステップ５：基地局は、端末から報告された能力情報を取得し、端末がバンド１とバンド２によるキャリアアグリゲーション及び同期デュアルコネクティビティをサポートするとともに、ＭｅＮＢにおけるバンド１とバンド２及びＳｅＮＢにおけるバンド２とバンド５による非同期デュアルコネクティビティをサポートすることを知り、ここで、セル１がバンド１に属し、セル２及びセル４がバンド２に属し、セル５がバンド５に属する。
【００７１】
ステップ６：サービス量の増大、そして測定レポートによると、セル２、セル４及びセル５の信号品質がそれぞれ優れているとともに、端末がＭｅＮＢにおけるバンド１とバンド２及びＳｅＮＢにおけるバンド２とバンド５による非同期デュアルコネクティビティをサポートすることから、基地局は端末のためにセル２、セル４及びセル５を構成し、端末は、セル１、セル２、セル４及びセル５によって非同期デュアルコネクティビティによるデータの送受信を行う。
（実施例４）
本発明の実施例４におけるＵＥが測定能力を報告するフロー及び基地局がデュアルコネクティビティを設定（構成）するフローを示す図は、図５のようである。
【００７２】
ステップ１：本実施例において、ＵＥはＥ−ＵＴＲＡＮシステムにおいて、セル１がＲＲＣ確立過程を完成した後に、接続状態にある。
【００７３】
ステップ２：基地局はＵＥに対して能力情報を報告するよう要求し、ＵＥは自分の能力に基づいて、端末がバンド１，２，５をサポートし、最大で２つのキャリアのアグリゲーションをサポートするようなキャリアアグリゲーション能力情報を報告し、ここで、１番目のバンドと２番目のバンドは順位を付けられておらず、それらにおける周波数のキャリアアグリゲーションをサポートすることを記述するものに過ぎない。実施例４において、ＵＥから報告されたキャリアアグリゲーションをサポートする能力は、表４．１に示すようなものであることができ、例えば、キャリアアグリゲーションバンド組み合わせ番号５の場合、端末は、バンド１とバンド５によるキャリアアグリゲーションをサポートする。
【００７４】
【表４．１】
2017532890.tif 000011
【００７５】
ステップ３：同時に、端末は、同期デュアルコネクティビティ及び非同期デュアルコネクティビティをサポートするため、同期デュアルコネクティビティ及び非同期デュアルコネクティビティをサポートする能力を単独で報告する必要がなく、表４．２における同期デュアルコネクティビティ及び非同期デュアルコネクティビティをサポートすることを直接報告する。表におけるデュアルコネクティビティバンド組み合わせ番号と表４．１におけるキャリアアグリゲーションバンド組み合わせ番号とが、例えば、いずれも１，２，３のように同一であってもよいし、また、例えば、１０１，１０２，１０３等のように異なってもよい。例えば、デュアルコネクティビティバンド組み合わせ番号３の場合、端末は、ＭｅＮＢにおけるキャリアアグリゲーションバンド組み合わせ番号４（表４．１におけるバンド１とバンド２を参照）及びＳｅＮＢにおけるキャリアアグリゲーションバンド組み合わせ番号２（表４．１におけるバンド２を参照）によるデュアルコネクティビティをサポートする。これに基づき、端末は、さらに、基地局の同期及び非同期デュアルコネクティビティをサポートする具体的なバンド組み合わせを報告することが必要とされ、各バンド組み合わせの後に、表４．２における最後の２列に示すように、同期及び非同期デュアルコネクティビティをサポートするか否かの指示を追加したり、基地局を別に指示したりすることができ、ビットマップの方式によると、同期デュアルコネクティビティをサポートするビットマップが１１０であり、そのうち、左から１番目のビットがデュアルコネクティビティバンド組み合わせ番号１を表し、１に設定されることは、同期デュアルコネクティビティをサポートすることを意味し、２番目のビットがデュアルコネクティビティバンド組み合わせ番号２を表し、１に設定されることは、同期デュアルコネクティビティをサポートすることを意味し、３番目のビットがデュアルコネクティビティバンド組み合わせ番号３を表し、０に設定されることは、同期デュアルコネクティビティをサポートしないことを意味し、また、非同期デュアルコネクティビティをサポートするビットマップが１０１であり、そのうち、左から１番目のビットがデュアルコネクティビティバンド組み合わせ番号１を表し、１に設定されることは、非同期デュアルコネクティビティをサポートすることを意味し、２番目のビットがデュアルコネクティビティバンド組み合わせ番号２を表し、０に設定されることは、非同期デュアルコネクティビティをサポートしないことを意味し、３番目のビットがデュアルコネクティビティバンド組み合わせ番号３を表し、１に設定されることは、非同期デュアルコネクティビティをサポートすることを意味する。
【００７６】
【表４．２】
2017532890.tif 000012
【００７７】
ステップ５：基地局は、端末から報告された能力情報を取得し、端末がバンド１とバンド２によるキャリアアグリゲーション及び同期デュアルコネクティビティをサポートするとともに、ＭｅＮＢにおけるバンド１とバンド２及びＳｅＮＢにおけるバンド２による非同期デュアルコネクティビティをサポートすることを知り、ここで、セル１がバンド１に属し、セル２及びセル４がバンド２に属する。
【００７８】
ステップ６：サービス量の増大、そして測定レポートによると、セル２及びセル４の信号品質がともに優れているとともに、端末がＭｅＮＢにおけるバンド１とバンド２及びＳｅＮＢにおけるバンド２による非同期デュアルコネクティビティをサポートすることから、基地局は端末のためにセル２及びセル４を構成し、端末は、セル１、セル２及びセル４によって非同期デュアルコネクティビティによるデータの送受信を行う。
【００７９】
なお、実施例１乃至実施例４において、端末は、基地局による報告要求により報告するようにしなくてもよく、自らデュアルコネクティビティ能力情報を報告してもよい。
【００８０】
上述したように、本発明の実施例は、上記技術案を用いて、端末の能力を拡大することにより、基地局が端末の能力に応じて適したデュアルコネクティビティを設定することができ、ユーザ体験を向上させる、といった有益な効果を実現している。
【００８１】
なお、本発明の実施例に言及された「第１（１番目）」、「第２（２番目）」、「第３（３番目）」、「第４（４番目）」は、区別するためのものに過ぎず、順番を限定するものではない。
【００８２】
もう一つの実施例において、上記実施例及び好適な実施形態に説明した技術案を実行するためのソフトウェアがさらに提供される。
【００８３】
もう一つの実施例において、上記ソフトウェアが記憶された記憶媒体がさらに提供され、該記憶媒体は、光ディスク、フレキシブルディスク、ハードディスク、消去可能なメモリ等を含むが、これには限定されない。
【００８４】
当業者にとって、上述の本発明の各ブロック又は各ステップは汎用の計算装置によって実現することができ、単独の計算装置に集成させることができれば、複数の計算装置から構成されるネットワークに分布させることもでき、さらに計算装置で実行可能なプログラムのコードによって実現することもできるので、それらを記憶装置に格納して計算装置によって実行することができ、そして場合によって、示した又は説明したステップを上述と異なる手順で実行することができ、それぞれ集積回路ブロックに製作したり、これらのうち複数のブロック又はステップを単独の集積回路ブロックに製作したりして実現することができることは、明らかなことである。このように、本発明は、如何なる特定のハードウェアとソフトウェアの結合にも限定されない。
【００８５】
以上は、本発明の好適な実施例に過ぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【産業上の利用可能性】
【００８６】
本発明の実施例に提供される上記技術案に基づいて、端末は、デュアルコネクティビティの能力をサポートすることを示すための指示情報を基地局に報告する技術的手段により、関連技術において、基地局が端末にサポートされるデュアルコネクティビティの能力を知ることができない等の問題を解決し、基地局が端末のデュアルコネクティビティ能力に応じて、端末に適するデュアルコネクティビティを設定できるようになり、ユーザ体験を向上させる。
【図１】
2017532890.tif 000013
【図２】
2017532890.tif 000014
【図３】
2017532890.tif 000015
【図４】
2017532890.tif 000016
【図５】
2017532890.tif 000017
【国際調査報告】
2017532890.tif 000018
2017532890.tif 000019
2017532890.tif 000020
2017532890.tif 000021